(57)【要約】ポータブル収納式筆記表面デバイスは、ハウジングから拡張され得、デバイスによって十分に平らに保持され得、乾式消去マーカ、チョーク、グリースクレヨン、鉛筆、ペン、永久マーカまたは類似のものなどの筆記用具を用いて筆記表面上にマーキングすることを容易にし得る筆記表面を提供する。デバイスは、拡張された筆記表面に十分な剛性を維持し、その結果、デバイスは、クリップボードまたはテーブルなどの追加の支持表面なしで用いられ得る。筆記表面は、筆記表面を保護し、ポケットまたはブリーフケース内などにおいて保管または輸送のためにデバイスの大きさを減少させるために、ハウジングの中に戻るように引き込まれ得る。筆記表面を引き込むことは、スプールに筆記表面を巻くこと、筆記表面をアコーディオン式に折り畳むこと、またはさもなければ、小さい空間内に筆記表面を合わせるように筆記表面を再構成することを含み得る。
2011514858.tif 000002
【特許請求の範囲】
【請求項１】
スリット（１１０）を規定するハウジング（１０５または５００、５０４）と、
ハンドル（１２５）と、
可撓性筆記表面（１１７）であって、その一方の縁において該ハンドル（１２５）に取り付けられ、該スリット（１１０）を通って拡張しそして引き込み、該筆記表面（１１７）が該ハウジング（１０５または５００、５０４）の中に引き込まれたとき、該ハウジング（１０５または５００、５０４）内において巻き付くように構成される、可撓性筆記表面（１１７）と、
第１の弾力部材（４０５）であって、該ハウジング（１０５もしくは５００、５０４）または該ハンドル（１２５）から拡張しそして引き込み、該第１の弾力部材（４０５）が該ハウジング（１０５もしくは５００、５０４）または該ハンドル（１２５）の中に引き込まれたとき、該ハウジング（１０５もしくは５００、５０４）または該ハンドル（１２５）内において巻き付くように構成され、該第１の弾力部材（４０５）は、該可撓性筆記表面（１１７）と協働し、その結果、該筆記表面（１１７）が拡張されたとき、該筆記表面（１１７）は、該筆記表面（１１７）上における手書き中の不快なたわみを回避するほど十分に剛性である、第１の弾力部材（４０５）と
を備えている、ポータブル筆記デバイス。
【請求項２】
前記第１の弾力部材（４０５）は、形状記憶を有し、その結果、該第１の弾力部材（４０５）は、巻き付けられていないとき、該第１の弾力部材（４０５）が前記ハウジング（１０５または５００、５０４）から拡張する方向に対して横断的に取られる断面で見られると、湾曲した形状を呈する、請求項１に記載のポータブル筆記デバイス。
【請求項３】
前記ハウジング（１０５または５００、５０４）内に配置される出口ランプ（５２８）をさらに備え、該出口ランプ（５２８）は、前記第１の弾力部材（４０５）の前記湾曲した形状を補完するように形作られ、該第１の弾力部材（４０５）の一部分を支持するように構成される、請求項２に記載のポータブル筆記デバイス。
【請求項４】
第２の弾力部材（４１０）をさらに備え、該第２の弾力部材は、前記ハウジング（１０５もしくは５００、５０４）または前記ハンドル（１２５）から拡張しそして引き込み、該第２の弾力部材（４１０）が該ハウジング（１０５もしくは５００、５０４）または該ハンドル（１２５）の中に引き込まれたとき、該ハウジング（１０５もしくは５００、５０４）または該ハンドル（１２５）内において巻き付くように構成され、
該ハンドル（１２５）ならびに前記第１の弾力部材（４０５）および第２の弾力部材（４１０）は、該筆記表面（１１７）が拡張された位置にあるとき、該ハンドル（１２５）ならびに該第１の弾力部材（４０５）および第２の弾力部材（４１０）は、筆記表面（１１７）のフレームの少なくとも一部を形成する、請求項１に記載のポータブル筆記デバイス。
【請求項５】
前記第２の弾力部材（４１０）は、形状記憶を有し、その結果、該弾力部材（４１０）は、巻き付けられていないとき、該弾力部材（４１０）が前記ハウジング（１０５または５００、５０４）から拡張する方向に対して横断的に取られる断面で見られると、湾曲した形状を呈する、請求項４に記載のポータブル筆記デバイス。
【請求項６】
前記第１の弾力部材（４０５）および第２の弾力部材（４１０）は、ばね鋼または形状記憶ポリマーを備えている、請求項５に記載のポータブル筆記デバイス。
【請求項７】
前記ハウジング（１０５または５００、５０４）内に配置されるばね（４２０）をさらに備え、該ばね（４２０）は、前記筆記表面（１１７）を引き込むことにより、該筆記表面（１１７）の巻き付きを促すように構成される、請求項４に記載のポータブル筆記デバイス。
【請求項８】
前記筆記表面（１１７）が巻き付くことを選択可能に防ぐように構成される解除可能ラッチ（４３５もしくは４２５または７０４）、または前記弾力部材（４０５）が引き込むことを選択可能に防ぐために前記第１の弾力部材（４０５）に連結される解除可能ブレーキ（５１４）をさらに備えている、請求項７に記載のポータブル筆記デバイス。
【請求項９】
ハウジング（１０５または５００、５０４）と、
該ハウジング（１０５または５００、５０４）内に収納式に配置可能である可撓性筆記表面（１１７）であって、該筆記表面（１１７）は、該筆記表面（１１７）が該ハウジング（１０５または５００、５０４）内に配置される第１の位置と、該筆記表面（１１７）の実質的な部分が該ハウジング（１０５または５００、５０４）の外部に配置される第２の位置とを有する、可撓性筆記表面（１１７）と、
第１の構造部材（４０５）であって、該第１の構造部材（４０５）は、該筆記表面（１１７）が該第１の位置を占めるとき、該第１の構造部材（４０５）の少なくとも一部分が該ハウジング（１０５または５００、５０４）内に配置され、該筆記表面（１１７）が該第２の位置を占めるとき、該第１の構造部材（４０５）の実質的な部分がハウジング（１０５または５００、５０４）の外部に配置されるような態様で、該筆記表面（１１７）に取り付けられる、第１の構造部材（４０５）と
を備えている、ポータブル筆記デバイス。
【請求項１０】
前記第１の構造部材（４０５）は、伸縮自在部材またはばね鋼部材を備えている、請求項９に記載のポータブル筆記デバイス。
【請求項１１】
第２の構造部材（４１０）をさらに備え、該第２の構造部材（４１０）は、前記筆記表面（１１７）が前記第１の位置を占めるとき、該第２の構造部材（４１０）の少なくとも一部分がハウジング（１０５または５００、５０４）内に配置され、該筆記表面（１１７）が前記第２の位置を占めるとき、該第２の構造部材（４１０）の実質的な部分がハウジング（１０５または５００、５０４）の外部に配置されるような態様で、該筆記表面（１１７）に取り付けられ、
該第１の構造部材（４０５）および該第２の構造部材（４１０）は、該筆記表面（１１７）が該第２の位置を占めるとき、該筆記表面（１１７）が該第１の構造部材（４０５）と該第２の構造部材（４１０）との間に実質的に平らに拡張するように構成される、請求項９に記載のポータブル筆記デバイス。
【請求項１２】
前記筆記表面（１１７）は、紙もしくはマーキング可能消去可能表面またはコンピュータディスプレイ画面を備えている、請求項１または請求項９に記載のポータブル筆記デバイス。
【請求項１３】
前記筆記表面（１１７）は、競技実施表面上のマーキングに対応する消去不能インディシアを備えている、請求項１または請求項９に記載のポータブル筆記デバイス。
【請求項１４】
圧縮可能弾性シート（１０００）をさらに備え、該圧縮可能弾性シート（１０００）は、該筆記表面（１１７）の１つの表面に取り付けられ、該筆記表面（１１７）の少なくとも筆記部分と同一の広がりをもつ、請求項４または請求項１１に記載のポータブル筆記デバイス。
【請求項１５】
筆記用具（５２６）を解除可能に保持するように構成されるレセプタクル（５２７）をさらに備えている、請求項１または請求項９に記載のポータブル筆記デバイス。
【請求項１６】
前記筆記表面（１１７）は、場合に応じて、前記第１の構造部材（４０５）、または前記ハンドル（１２５）および該第１の弾力部材（４０５）に解除可能に取り付けられる、請求項１または請求項９に記載のポータブル筆記デバイス。
【発明の詳細な説明】
【技術分野】
【０００１】
（関連出願の参照）
本出願は、２００８年３月１２日出願され、名称が「Ｐｏｒｔａｂｌｅ  Ｃｏｍｐｒｅｓｓｉｂｌｅ  Ｗｒｉｔｉｎｇ  Ｄｅｖｉｃｅ」である米国仮特許出願第６１／０３６，０５７号、および２００８年５月３０日に出願され、名称が「Ｐｏｒｔａｂｌｅ  Ｒｅｔｒａｃｔａｂｌｅ  Ｅｒａｓａｂｌｅ  Ｗｒｉｔｉｎｇ  Ｓｕｒｆａｃｅ」である米国仮特許出願第６１／０５７，４８７号の利益を主張し、これらの出願すべての内容全体は、すべての目的のために本明細書において本明細書によって参照により援用される。
【０００２】
（技術分野）
本発明は、消去可能筆記表面に関し、より詳細には、ポータブル収納式消去可能筆記表面に関する。
【背景技術】
【０００３】
（背景技術）
スポーツコーチおよび他の人たちは、競技者に指示を伝えるためにクリップボードおよび他の堅い表面をしばしば用いる。これらのボードは、一般的に「コーチのボード」または「コーチングボード」と呼ばれる。いくつかのそのようなボードは、バスケットボールコート、フットボールフィールド、ホッケーリンクなどの競技場の紙の図表を保持する。他のそのようなボードは、競技表面における線、ゴールなどに対応する永続的マーキングの有るまたは無しのチョークボード、乾式消去ボードまたは磁気ボードを含む。コーチは、意図した競技、競技者による動き、対抗する競技者の予期される動き、戦略などを示すために、ボード上に筆記するか、またはよりしばしば図表を描く。
【発明の概要】
【課題を解決するための手段】
【０００４】
（発明の概要）
本発明の実施形態は、ポータブル筆記デバイスを提供する。ハウジングはスリットを規定する。筆記表面は、スリットを通って拡張しそして引き込むように構成される。筆記表面は、一方の縁においてハンドルに取り付けられ、筆記表面がハウジングの中に引き込まれたとき、ハウジング内に配置されるスプール上に渦巻き状などで、そしてスリットに平行にハウジング内において巻き付くように構成される。第１の弾力部材がハウジングまたはハンドルの中に引き込まれたとき、第１の弾力部材は、場合に応じて、ハウジングまたはハンドルから拡張しそして引き込み、ハウジングまたはハンドル内において渦巻き状などでスプールに巻き付くように構成される。例えば、筆記表面がハウジングの中に引き込まれたとき、第１の弾力部材は、スプールに巻き付くように構成され得る。
【０００５】
第１の弾力部材はまた、筆記表面が拡張されたとき、筆記表面が筆記表面上における手書き中の不快なたわみを回避するほど十分に剛性であるように構成される。すなわち、ユーザは、クリップボードまたはテーブルなどの追加の支持表面を必要とすることなく、典型的な厚紙支持の紙メモ用紙が典型的な筆圧によってゆがむより多く筆記表面がゆがむことなく、筆記表面に同様な筆圧を加えて、（筆記表面の組成に従って）鉛筆、消去可能マーカ、スタイラスまたは類似のものを用いて筆記表面上に手で書くかまたは描き得る。
【０００６】
筆記表面は、紙、マーキング可能消去可能表面もしくは可撓性コンピュータディスプレイ画面から作られ得るかまたはそれらを含み得る。筆記表面または筆記表面の基板は、バスケットボールコートまたはフットボール競技場などの競技実施表面上のマーキングに対応する消去不能インディシアを含み得る。
【０００７】
第１の弾力部材は、形状記憶を有し得、その結果、第１の弾力部材は、巻き付けられていないとき、第１の弾力部材がハウジングから拡張する方向に対して横断的に取られる断面で見られると、湾曲した形状を呈する。
【０００８】
筆記デバイスは、ハウジング内に配置される出口ランプを含み得る。出口ランプは、第１の弾力部材の湾曲した形状を補完するように形作られる。出口ランプは第１の弾力部材の一部分を支持するように構成される。
【０００９】
ポータブル筆記デバイスはまた、第２の弾力部材を含み得、第２の弾力部材は、ハウジングまたはハンドルから拡張しそして引き込み、第２の弾力部材がハウジングまたはハンドルの中に引き込まれたとき、渦巻き状に巻き付くように構成され得る。例えば、第２の弾力部材は、スリットを通って、拡張しそして引き込むように構成され得、第２の部材は、スプールに巻き付くように構成され得る。弾力部材の各々の一端部は、ハンドルに取り付けられ得る。ハンドル、第１および第２の弾力部材ならびに（オプションの）スプールは、筆記表面が延長位置にあるとき、ハンドル、第１および第２の弾力部材ならびに（オプションの）スプールが筆記表面のためのフレームの少なくとも一部分を形成するように構成され得る。
【００１０】
第１の弾力部材および第２の弾力部材の各々は、形状記憶を有し得、その結果、弾力部材は、スプールに巻き付けられていないとき、第１の弾力部材がハウジングから拡張する方向に対して横断的に取られる断面で見られると、湾曲した形状を呈する。
【００１１】
第１の弾力部材および第２の弾力部材は、ばね鋼または形状記憶ポリマーを含み得る。
【００１２】
ポータブル筆記デバイスはまた、ハウジング内に配置されるばねを含み、ばねは、スプールに連結され、筆記表面を引き込むようにスプールの回転を促すように構成され得る。解除可能ラッチまたはブレーキは、スプールおよび／または１つ以上の弾力部材に連結され得、選択可能に、スプールが回転することを防ぐか、または弾力部材がハウジングの中に引き込まれることを防ぐように構成される。
【００１３】
ポータブル筆記デバイスはまた、筆記表面の１つの表面に取り付けられ、筆記表面の少なくとも筆記部分と同一の広がりをもつ圧縮可能弾性シートを含み得る。
【００１４】
ポータブル筆記デバイスはまた、筆記用具を解除可能に保持するように構成されるレセプタクルを含み得る。
【００１５】
本発明の別の実施形態は、ハウジングと可撓性筆記表面とを含むポータブル筆記デバイスを提供する。筆記表面は、ハウジング内に引き込み可能に配置可能であり得る。筆記表面は第１の位置を有し、第１の位置において、筆記表面はハウジング内に配置される。筆記表面はまた第２の位置を有し、第２の位置において、筆記表面の実質的な部分はハウジングの外部に配置される。ポータブル筆記デバイスはまた、筆記表面に取り付けられる第１の構造部材を含む。筆記表面が第１の位置を占めるとき、第１の構造部材の少なくとも一部分はハウジング内に配置される。筆記表面が第２の位置を占めるとき、第１の構造部材の実質的な部分はハウジングの外部に配置される。
【００１６】
筆記表面は、紙、マーキング可能消去可能表面もしくは可撓性コンピュータディスプレイ画面から作られ得るかまたはそれらを含み得る。筆記表面または筆記表面の基板は、バスケットボールコートまたはフットボール競技場などの競技実施表面上のマーキングに対応する消去不能インディシアを含み得る。
【００１７】
第１の構造部材は、伸縮自在部材またはばね鋼部材を含み得る。
【００１８】
ポータブル筆記デバイスはまた、筆記表面に取り付けられる第２の構造部材を含み得る。筆記表面が第１の位置を占めるとき、第２の構造部材の少なくとも一部分はハウジング内に配置される。筆記表面が第２の位置を占めるとき、第２の構造部材の実質的な部分はハウジングの外部に配置される。筆記表面が第２の位置を占めるとき、筆記表面は、第１の構造部材と第２の構造部材との間に実質的に平らに拡張する。
【００１９】
第２の構造部材は、伸縮自在部材を含み得る。
【００２０】
ポータブル筆記デバイスはまた、筆記表面の１つの表面に取り付けられ、筆記表面の少なくとも筆記部分と同一の広がりをもつ圧縮可能弾性シートを含み得る。
【００２１】
本発明は、図面と共に特定の実施形態の以下の詳細な説明を参照することによって、より充分に理解される。
【図面の簡単な説明】
【００２２】
【図１】図１は、本発明の一実施形態に従う、収納式筆記表面が拡張された位置で示されるポータブル収納式消去可能筆記デバイスの斜視図である。
【図２】図２は、収納式筆記表面が引き込まれた位置で示される、図１の筆記デバイスの斜視図である。
【図３】図３は、収納式筆記表面が拡張された位置で示される、図１のポータブル筆記デバイスの側面図である。
【図４】図４は、図１の筆記デバイスの斜視分解組立図である。
【図５】図５は、本発明の別の実施形態に従うポータブル消去可能筆記デバイスの一部分の斜視分解組立図である。
【図６】図６は、図５の筆記デバイスの端面図を示す。
【図７】図７は、本発明の一実施形態に従うブレーキ機構の概略図である。
【図８】図８および図９は、本発明の２つの実施形態に従う、図１または図５のポータブル収納式消去可能筆記デバイスの収納式部材の断面図である。
【図９】図８および図９は、本発明の２つの実施形態に従う、図１または図５のポータブル収納式消去可能筆記デバイスの収納式部材の断面図である。
【図１０】図１０は、本発明のなおも別の実施形態に従う、ポータブル収納式消去可能筆記デバイスの斜視組立分解図である。
【発明を実施するための形態】
【００２３】
（特定の実施形態の詳細な説明）
本発明の実施形態に従って、ポータブル収納式筆記表面デバイスを提供する装置が開示される。乾式消去マーカ、チョーク、グリースクレヨン、鉛筆、ペン、永久マーカまたは類似のものなどの筆記用具を用いて筆記表面上にマーキングすることを容易にするために、筆記表面は、ハウジングから拡張され得、装置によって十分に平らに保持され得る。デバイスは拡張された筆記表面において十分な剛性を維持し、その結果、デバイスはクリップボードまたはテーブルなどの追加の支持表面なしで用いられ得る。筆記表面は、筆記表面を保護し、ポケットまたはブリーフケース内などにおいて保管または輸送するためにデバイスの大きさを減少させるために、ハウジングの中に戻るように引き込まれ得る。筆記表面を引き込むことは、ローラに筆記表面を巻くこと、筆記表面をアコーディオン式に折り畳むこと、またはさもなければ、小さい空間内に筆記表面を合わせるように筆記表面を再構成すること（本明細書において総称的に、筆記表面を「圧縮する」または「引き込む」という）を含み得る。筆記表面がハウジングから拡張された位置にあるとき、拡張された筆記表面を平らにかつ完全に剛性にするために１つ以上の弾力部材が用いられ得る。筆記表面は、可撓性コンピュータディスプレイ画面を含み得るか、またはそれによって取り替えられ得る。
【００２４】
図１は、ポータブル収納式消去可能筆記デバイス１００の一実施形態の斜視図である。ハウジング１０５はスリット１１０を規定し、スリット１１０を通って収納式部材１１５が、拡張され、そして引き込まれ得る。収納式部材１１５は、収納式部材１１５の片側または両側に筆記表面１１７を含み得る。乾式消去マーカ１１９などの筆記用具は、収納式部材１１５の筆記表面１１７上に書くかまたは描くために用いられ得る。筆記表面１１７は、バスケットボールコートなどの競技表面の輪郭および／または競技表面上のマーキングに対応するインディシアを含み得る。異なるインディシア、同一のインディシアまたはインディシアなしが、収納式部材１１５の下部３００（図３）に含まれ得る。収納式部材１１５の片側または両側は、広告を含み得る。
【００２５】
図１は、完全に拡張された収納式部材１１５を示す。収納式部材１１５は、矢印１２０によって示されるように、ハウジング１０５の中に戻るように引き込まれ得る。図２は、収納式部材１１５がハウジング１０５の中に完全に引き込まれた状態の筆記デバイス１００を示す。剛性のハンドル１２５が、収納式部材１１５の１つの縁に取り付けられる。収納式部材１１５は、ハウジング１０５に対してハンドル１２５を引くことによって拡張され得る。ハンドル１２５は、収納式部材１１５がハウジング１０５の中に完全に引き込まれることを防ぐためにスリット１１０より幅が広くかつ／または長さが長くあり得る。図３は、収納式部材１１５が完全に拡張された状態の筆記デバイス１００の側面図である。ハウジング１０５は、下記に説明されるように、収納式部材１１５を圧縮するように協働する機械的構成要素を含み得る。構成要素は、ボタン１３０または解除可能ラッチによって作動され得る。
【００２６】
図４は、筆記デバイス１００の斜視分解組立図である。一実施形態において、収納式部材１１５は、上部筆記表面１１７と、下部筆記表面４００と、２つの弾力部材４０５および４１０とを含む。一実施形態において、筆記表面１１７は、約８−１／２インチ×約１２インチの利用可能な筆記面積を提供する。しかしながら、他のサイズの筆記表面１１７が用いられ得る。収納式部材１１５はその一方の縁においてスプール４１５に取り付けられ、その結果、筆記表面１１７がハウジング１０５の中に引き込まれたとき、収納式部材１１５はスプール４１５上に渦巻き状に巻き付けられ得る。スプール４１５は、スリット１１０を規定する中空の本体４０３内に配置される。本体４０３は、プラスチック、金属または任意の他の適切な材料から作られ得る。本体４０３は、内部容積を規定する。
【００２７】
ばね４２０は、ハウジング１０５のエンドキャップ４２２およびスプール４１５に取り付けられ得る。収納式部材１１５が、スプール４１５から巻き付きを解かれ、ハウジング１０５から拡張されると、ばね４２０はぴんと張られ、その結果、ばねは、筆記表面１１７をハウジング４０３の中に戻すように引き込むようにスプール４１５の回転を促す。ギア４２５は、スプール４１５と共に回転するようにスプール４１５に取り付けられる。ばね（見えていない）は、ハウジング１０５の別のエンドキャップ４３０に対してギア４２５を促す。エンドキャップ４３０の歯４３５は、ギア４２５の歯を係合することにより、スプール４１５が筆記表面１１７を引き込むように回転することを妨げる。ボタン１３０は、ギア４２５の歯をエンドキャップ４３０の歯から十分に係合解除し、従って、スプール４１５が収納式部材１１５を回転させ、引き込むことを可能にするように、エンドキャップ４３０からギア４２５を変位させるために用いられ得る。エンドキャップ４３０の歯４３５および／またはギア４２５の歯は、必ずしもボタン１３０を押さなくてもスプール４１５が回転し、収納式部材１１５を拡張し得るように構成され得る。例えば、エンドキャップ４３０の歯４３５および／またはギア４２５の歯は、鋸刃の形状を有し得る。位置決めカラー４４０および４４５は、本体４０３内にスプール４１５の位置および配向を維持する。
【００２８】
オプションでまたは代わりに、スプール４１５が回転して筆記表面１１７を引き込むことを選択可能に妨げるかまたは可能にするために、別の機構が用いられ得る。例えば、ユーザがハンドル１２５をわずかに引き、次いでそれを解放することに応答して筆記表面１１７に引き込み力を加えるために、「ウィンドーシェード」ラチェット機構が備え付けられ得る。
【００２９】
図５は代替の実施形態に従うポータブル収納式消去可能筆記デバイスの分解組立斜視図を示し、図６はその端面図を示す。図５に示されるように、ハウジングは、２つの半分５００および５０４を含む。ハウジングの下部半分５０４は、開口部５０８を規定する。ハウジング５００および５０４内に取り付けられるシャフト５１０は、ハウジングと共に回転するように取り付けられる摩擦ブレーキパッド５１４および５１８を有する。ブレーキパッド５１４および５１８は、ゴム、または材料と弾力部材４０５および４１０の形状とに対する十分な摩擦係数を有する別の適切な材料および形状であり得る。ブレーキパッド５１４および５１８はシャフト５１０に対して偏心し、ブレーキパッド５１４および５１８は、隆起部、またはブレーキパッド５１４および５１８に規定される他の形状を有し得、弾力部材４０５および４１０との所望の摩擦を確立し得る。
【００３０】
ばね５２０は、矢印５２２によって示されるように、シャフト５１０をその軸の周りに回転するように促す。従って、ブレーキパッド５１４および５１８は、弾力部材４０５および４１０の下部に対して促され、ブレーキパッド５１４および５１８と弾力部材４０５および４１０との間の摩擦は、弾力部材４０５および４１０がハウジング５００および５０４の中に引き込むことを妨げる。すなわち、摩擦は、弾力部材４０５および４１０が、さもなければ、スプール４１５に筆記表面１１７を巻き付けるばね４２０の力に抵抗することを可能にする。
【００３１】
ブレーキ解除ボタン５２４は、デバイスが組み立てられたとき、ブレーキ解除ボタン５２４がハウジングの下部半分にある開口部５０８を通ってアクセス可能であるように、シャフト５１０に取り付けられる。ブレーキ解除ボタン５２４はシャフト５１０に対して偏心し得る。ボタン５２４を押すかまたは回転させるなどによってブレーキ解除ボタン５２４を操作することは、矢印５２２の方向と反対にシャフト５１０を回転させ、従って、弾力部材４０５および４１０の下部から離れる方向にブレーキパッド５１４および５１８を回転させ、それによって、ブレーキパッド５１４および５１８と弾力部材４０５および４１０との間の摩擦を（ことによると０に）減少させる。摩擦を除去することまたは摩擦を減少させることは、ばね４４５が、スプール４１５を回転させ、それによってハウジング５００および５０４の中に筆記表面１１７を引き込むことを可能にする。いくつかの実施形態は、ばね４２０を省略する。これらの場合において、ユーザは、筆記表面１１７をハウジング５００および５０４の中に促し、スプール４１５をその軸の周りに回転させ、筆記表面１１７ならびに弾力部材４０５および４１０をスプール４１５に渦巻き状に巻き付ける。任意の実施形態におけるスプール４１５が２つ以上の直径を有し得ることは注意されるべきである。すなわち、弾力部材４０５および４１０は、筆記表面１１７が巻き付くスプール４１５の部分とは異なる直径を有するスプール４１５の部分に巻き付き得る。
【００３２】
乾式消去マーカなどの筆記用具５２６はレセプタクル５２７に解放可能に保管され得、レセプタクル５２７はスプール４１５によって少なくとも部分的に規定される空洞を含み得る。図６に示されるように、ハウジング５００および５０４の端部分は、開口部を規定し得るか、またはドア（図示されない）を含み得、その開口部またはドアを通って、筆記用具５２６は、使用のために引き出され得るか、または使用しないとき保管のために戻され得る。レセプタクル５２７は、選択可能に空洞の中に筆記用具５２６を固定するか、または筆記用具を解放するトグルアセンブリを含み得る。一実施形態において、筆記用具５２６がレセプタクル５２７内に固定されている間、筆記用具の上部を押し込むことによって、筆記用具は解放される。筆記用具５２６を空のレセプタクル５２７の中に挿入することによって、筆記用具はレセプタクル５２７の中に固定される。
【００３３】
いくつかの実施形態において、図６において見られ得るように、ハウジング５００、５０４は、涙のしずくの断面形を有する。そのような形状は、より低い出口ランプ（ｅｘｉｔ  ｒａｍｐ）５２８および５３０のためにハウジング５００、５０４内に空間を提供する（図５に最良に見られる）。出口ランプ５２８のうちの１つおよび弾力部材４０５のうちの１つの一部分が図６に想像線で示される。出口ランプ５２８、５３０は、弾力部材がスプール４１５から巻きを解かれるとき、弾力部材４０５および４１０によって呈される凹形を補完する凸表面を提供する。弾力部材４０５および４１０の部分は、それぞれ出口ランプ５２８および５３０のすべてまたは部分に置かれる。出口ランプ５２８および５３０によって提供される支持は、弾力部材がハウジング５００および５０４から拡張されたとき、弾力部材４０５および４１０の剛性を高める。オプションの上部出口ガイド（そのうちの１つは図６に６００の想像線で示される）はまた、上部出口ガイドと下部出口ランプとの間に弾力部材４０５および４１０をゆるく捕らえるために提供され得る。従って、出口ガイド６００および出口ランプ５２８によって例示される、上部出口ガイドおよび下部出口ランプは、チャネル６０４によって例示されるチャネルを規定し得、そのチャネルを通って弾力部材４０５および４１０が拡張される。
【００３４】
図７は、スプール４１５のための代替のブレーキアセンブリの概略図である。スプール４１５は、スプール４１５の表面に穴７００を規定する。ばね負荷されたピン７０４は、矢印によって示されるように、スプール４１５の表面の方に促される。筆記表面が部分的または完全にハウジングの中に引き込まれている間、すなわち、筆記表面１１７が部分的または完全にスプール４１５の周りに巻き付いている間、筆記表面１１７は、ピンが穴７００に入るのを妨げる。しかしながら、一旦筆記表面１１７が拡張されると、穴７００は覆いが取られ、スプール４１５が回転して、穴７００をピン７０４に整列させると、ピンは穴７００に入って、ブレーキ（ｂｒｅａｋ）を係合し、スプール４１５が回転することを妨げ、従って、筆記表面１１７の位置をロックする。プッシュボタン７０８は、ピボット７１０の周りにブレーキアセンブリを旋回させるために用いられ得、それでピン７０４は、穴７００から後退して出、従ってブレーキを解放する。
【００３５】
図８および図９は、本発明の２つの実施形態に従う、図１または図５の収納式部分の断面図である。図８に示される実施形態において、２つの弾力部材４０５および４１０は、完全に筆記表面１１７の下に配置される。図９に示される実施形態において、弾力部材４０５および４１０は、筆記表面１１７の縁に配置される。両方の場合において、弾力部材４０５および４１０は、接着テープ８００によって筆記表面１１７に取り付けられ得る。接着テープ８００の組成によって、接着テープ８００上に書くことは、筆記表面１１７上に直接書くより難しい場合がある。しかしながら、筆記表面１１７の有用部分のうち、約２分の１インチなどの比較的小さい量８０４のみが接着テープ８００により失われ得る。
【００３６】
オプションでまたは代わりに、弾力部材４０５および４１０は、他の方法で筆記表面１１７に取り付けられ得る。例えば、弾力部材４０５および４１０の片方または両方の縁は、筆記表面１１７の縁に溶接（溶剤もしくは無線周波数（ＲＦ）もしくは超音波エネルギを用いるなど）または接着され得（図９に示されるように、弾力部材４０５および４１０が筆記（ｗｉｒｉｎｇ）表面１１７に対して配向される場合）、あるいは筆記表面１１７の縁および下部に溶接または接着され得る（図８に示されるように、弾力部材４０５および４１０が筆記表面１１７に対して配向される場合）。代わりに、図８または図９に８００で示されるように形作られ、押し出されるかまたは伸縮性のあるように織られたスリーブは、弾力部材８００を包むために用いられ得、スリーブは、溶接または接着剤によって筆記表面１１７に取り付けられ得る。
【００３７】
オプションでまたは代わりに、磁石、フックおよびループファスナ（フックおよびパイルファスナとしても公知である）、または筆記表面１１７の縁に沿ってかもしくはその近くに、かつ／または弾力部材４０５および４１０に配置される他の永続的もしくは解放可能なファスナ（図示されていない）は、筆記表面１１７が弾力部材４０５および４１０に取り付けられるようにし得る。取り付けは、永続的であり得るかまたは解放可能であり得る。
【００３８】
同様に、磁石、フックおよびループファスナまたは他のタイプのファスナは、筆記表面１１７をハンドル１２５および／またはスプール４１５に取り付けるために用いられ得、従って、筆記表面１１７が取り替えられることを可能にする。
【００３９】
いくつかの実施形態（図示されていない）において、筆記表面１１７は、弾力部材４０５および４１０に無関係にハウジングから拡張し、ハウジングの中に引き込まれ得る。オプションでまたは代わりに、ハンドル１２５は中空であり得、筆記表面１１７または弾力部材４０５および４１０は、ハウジング１０５または５００および５０４内の代わりに、ハンドル１２５内に巻き上がり得る。
【００４０】
図４に戻ると、オプションで、スリット１１０を規定する本体４０３の片方または両方の縁は、消去器（図示されていない）が備え付けられ得、その結果、収納式部材１１５が、ハウジング１０５から拡張し、ハウジング１０５の中に引き込まれるとき、消去器は、収納式部材１１５の表面を拭き、筆記表面１１７および／または４００を消去する。スリット１１０の大きさおよび消去器の空間は、収納式部材１１５が消去器に選択可能に接触するようにされ得るか、または、収納式部材１１５が拡張されるかもしくは引き込まされるかの角度３０５または３１０（図３）に従って、消去器と接触することなく、収納式部材１１５が拡張され得るかもしくは引き込まれ得るようなものであり得る。
【００４１】
再び図４に戻ると、弾力部材４０５の一端部４５０は、スプール４１５に取り付けられ、その結果、筆記表面１１７がハウジング１０５の中に引き込まれると、弾力部材４０５は、スプール４１５に渦巻き状に巻き付く。スプール４１５は溝４５２を規定し得、溝４５２は複数のスパイク４５３を含み、スパイク４５３は、弾力部材４０５の端部４５０において対応する穴４５４と係合し、弾力部材４０５をスプール４１５に取り付けるように構成される。筆記表面１１７がハウジング１０５から拡張すると、弾力部材４０５はスプール４１５から巻き付きを解く。同様に、もう一方の弾力部材４１０は、スプール４１５に巻き付き、そしてスプール４１５から巻き付きを解くためにスプール４１５に取り付けられる。ねじ、リベット、接着剤、溶接、摩擦などの他の適切な取り付け機構が用いられ得る。
【００４２】
図４の挿入図に示されるように、弾力部材４０５は、湾曲した断面形状を有する。もう一方の弾力部材４１０も同様に形作られる。弾力部材４０５および４１０は、ばね鋼、形状記憶ポリマーまたは形状記憶を提供する任意の材料もしくは組み合わせから作られ得る。
【００４３】
弾力部材４０５および４１０の各々は形状記憶を有し、その結果、弾力部材４０５または４１０がスプール４１５に巻き付けられていないとき、弾力部材４０５または４１０は、弾力部材がハウジングから拡張する方向に対して横断的に取られる断面で見られると、上記に説明される湾曲した形状を呈する。ばね鋼巻尺がそのハウジングから拡張されたとき剛性になるような方法に類似した態様で、弾力部材４０５および４１０がハウジング１０５から拡張されたとき、湾曲した断面形状は、弾力部材４０５および４１０を剛性にする。弾力部材４０５および４１０がハウジング１０５の中に引き込まれ、スプール４１５の周りに巻き付けられると、弾力部材４０５および４１０は、湾曲の少ない形状または平らな形状を呈し得る。
【００４４】
弾力部材４０５および４１０のもう一方の端部４５５および４６０は、ハンドル１２５における２つの溝（見えていない）にあるスパイク、ねじ、または他の適切なファスナ（見えていない）、ならびに弾力部材４０５および４１０の端部４５５および４６０における穴４６５および４７０によって、ハンドル１２５に取り付けられる。弾力部材４０５および４１０がハウジング１０５から拡張されたとき、スプール４１５、弾力部材４０５および４１０ならびにハンドル１２５は、フレームを形成する。従って弾力部材４０５および４１０は、構造部材を形成する。
【００４５】
筆記表面１１７は、弾力部材４０５および４１０に取り付けられ得、筆記表面１１７は、弾力部材４０５と４１０との間で平らに保持されるかまたはそれらの間に強制されて、剛性の筆記表面を提供する。ハンドル１２５およびスプール４１５は、筆記用具によって筆記表面１１７に圧力が加えられたとき、弾力部材４０５および４１０が互いの方にそれるのを防ぐのに十分に剛性である。弾力部材４０５および４１０の剛性ならびにハンドル１２５およびスプール４１５によって提供される、弾力部材４０５および４１０の互いに対する位置的安定性は、筆記用具によって筆記表面１１７に通常の筆記圧力が加えられたとき、筆記表面１１７が実質的に変形することを防ぐ。筆記表面１１７はまた、ハンドル１２５および／またはスプール４１５に取り付けられ得、筆記表面１１７にさらなる剛性を提供し得る。下部筆記表面４００は、弾力部材４０５および４１０、オプションでハンドル１２５および／またはスプール４１５に同様に取り付けられ得る。
【００４６】
オプションで、１つ以上のさらなる弾力部材（図示されていない）が収納式部材１１５に含められ得る。そのようなさらなる弾力部材は、スプール４１５からハンドル１２５に拡張し得、上記に説明の弾力部材４０５と４１０との間にかつ弾力部材４０５および４１０に平行に配置され得る。
【００４７】
オプションで、収納式部材１１５、筆記表面１１７および／または４００は、形状記憶を有する材料から作られ得、収納式部材１１５がハウジング１０５から拡張されたとき、収納式部材１１５は、湾曲した（断面において）形状を有し、それによって、収納式部材１１５を剛性にするように構成され得る。この場合、ハンドル１２５は、対応する湾曲の形状を有し得る。
【００４８】
オプションで、図１０に示されるように、圧縮可能弾性シート１０００は、筆記表面１１７と弾力部材４０５および４１０との間に含められ得、筆記表面１１７のためのさらなる支持を提供し得る。類似のシート（図示されていない）が、下部筆記表面４００と弾力部材４０５および４１０との間に含められ得る。
【００４９】
オプションでまたは代わりに、１つ以上の伸縮自在部材（図示されていない）が、弾力部材４０５および４１０（ならびに上記に説明されるオプションのさらなる平行の弾力部材）の他に、またはそれらの代わりに、用いられ得る。各伸縮自在部材は、その一方の端部においてハウジング１０５にまたはハウジング１０５内に取り付けられ、その他方の端部においてハンドル１２５に取り付けられる。収納式部材１１５がハウジング１０５から拡張されるとき、伸縮自在部材は伸び、収納式部材１１５がハウジング１０５の中に戻るように引き込まれるとき、伸縮自在部材は収縮する。筆記表面１１７および／または４００の縁は、縁の長さの少なくとも部分に沿って伸縮自在部材に、固定的にまたはスライド可能に取り付けられ、その結果、筆記表面は、拡張された伸縮自在部材の間で平らに保持されるかまたはそれらの間に強制されて、剛性の筆記表面を提供する。
【００５０】
筆記表面１１７および４００は、紙、またはポリエステルもしくはポリプロピレンなどのプラスチック膜を含む任意の適切な可撓性基板から作られ得る。基板は、適切な放射線硬化型ラッカーを用いてコーティングされ得、マーキング可能で消去可能な表面を生成し得る。基板が耐熱性である場合、アルキド、尿素ホルムアルデヒド、メラミンおよび類似の高架橋密度樹脂などの熱硬化型コーティングが用いられ得る。温度感知基板は、コーティングされ得、次いでコーティングは、電子ビーム（ＥＢ）および／または紫外線（ＵＶ）放射によって硬化され得る。
【００５１】
コーティングの表面張力は、表面をマーキングするために用いられる乾式消去インクなどの材料の表面張力より大きくあるべきである。表面張力の差が大きければ大きいほど、インクは消去可能マーキング可能表面をより良く湿らせる。筆記表面１１７が乾式消去マーカと共に用いられる場合、硬化コーティングの最小表面張力は、主として、乾式消去マーカにおける溶剤および／または表面活性剤による。２２℃において少なくとも約２５ダイン／ｃｍの表面張力が、許容可能であることが見出された。適切な消去可能筆記表面を形成することの他の詳細は、Ｗａｒｒｅｎ  Ｒ．Ｐｉｔｔｓらによる、名称が「Ｅｒａｓａｂｌｙ  ｍａｒｋａｂｌｅ  ａｒｔｉｃｌｅｓ  ａｎｄ  ｍｅｔｈｏｄｓ  ｏｆ  ｍａｋｉｎｇ  ｓｕｃｈ  ａｒｔｉｃｌｅｓ」である米国特許第５，０２４，８９８号に説明され、この特許の内容全体は、本明細書において本明細書によって参照により援用される。但し、結果として生じる筆記表面は、参照される特許において説明される材料のいくつかの粘着特性またはリン光特性を必ずしも持つ必要はない。
【００５２】
代わりに、基板は、Ｏｐｔｉ−Ｒｉｔｅ  ｗｒｉｔｉｎｇ  ｓｕｒｆａｃｅの商標の下でＯｐｔｉＭＡ，Ｉｎｃ．，Ｎｏｒｔｈｂｏｒｏｕｇｈ，ＭＡ  ０１５３２から入手可能な接着剤裏打ちの透明の乾式消去材料などの適切な乾式消去可能材料を用いてラミネートにされ得る。
【００５３】
オプションでまたは代わりに、筆記表面１１７は、磁気的、電気的、静電気的、光学的または機械的に消去可能である筆記材料を含む、別のタイプまたは他のタイプの消去可能または消去不能筆記材料から作られ得る。
【００５４】
オプションでまたは代わりに、筆記表面１１７は、可撓性コンピュータディスプレイ画面から作られ得るか、または可撓性コンピュータディスプレイを含み得る。そのようなディスプレイ画面は、Ｐｏｌｙｍｅｒ  Ｖｉｓｉｏｎ，Ｌｔｄ．，Ｅｉｎｄｈｏｖｅｎ，Ｔｈｅ  Ｎｅｔｈｅｒｌａｎｄｓ、Ｐｌａｓｔｉｃ  Ｌｏｇｉｃ，Ｃａｍｂｒｉｄｇｅ，Ｅｎｇｌａｎｄ、およびＮａｎｏｉｄｅｎｔ，Ｌｉｎｚ，Ａｕｓｔｒｉａから入手可能である。可撓性コンピュータディスプレイは、ハウジング内のプロセッサまたはハウジングに取り付けられたプロセッサに連結され得る。オプションでまたは代わりに、プロセッサは、ハウジングから遠く離れ得、有線リンクまたは無線（ＲＦまたは赤外線）リンクを介して画面に連結され得る。
【００５５】
筆記表面１１７とは別個である弾力部材４０５および４１０が説明されたが、他の実施形態において、筆記表面は、筆記表面の縁に沿って弾力部材と一体化して作られ得る。弾力部材は、筆記表面に融合させられ得るかもしくは付着させられ得、または弾力部材および筆記表面は、単一の構成要素として製作され得る。筆記表面は、片面または両面であり得る。
【００５６】
筆記デバイス１００は、マーカまたは他の筆記用具を収納するために用いられ得るクリップまたは凹部（図示されていない）を含み得る。クリップまたは凹部は、例えば、筆記表面の下部またはハウジングの外部に備え付けられ得る。
【００５７】
筆記デバイス１００は、ベルトまたは他の品目に連結することが可能なクリップを含み得、それによって、筆記デバイス１００がそのユーザによって手を使わずに運ばれることを可能にし得る。
【００５８】
ハウジング１０５、拡張可能部材１１５および／または筆記デバイス１００の他の構成要素は、吸着カップ、または筆記デバイス１００もしくはその一部分を壁もしくは他の表面に付着させる他の要素を含み得る。結果として、拡張可能部材１１５は、拡張されて筆記に適切な態様で筆記表面１１７を露出させ得、筆記デバイス１００は、次いで壁または他の表面に付着され得、その結果、ユーザは、筆記デバイス１００を持つことなく筆記表面１１７に書き得る。
【００５９】
上記に説明される、スポーツマンおよびコーチを含むユーザの他に、開示される筆記デバイスは、他の状況においてまたは他の目的のために用いられ得る。例えば、筆記デバイスは、耳が聞こえないかもしくは耳が遠い人、または咽喉がんの人など、声の使用を一時的もしくは永久的に失った人によって用いられ得る。他の可能性のあるユーザは、警察および戦術的状況における軍人、ならびにトレーナーおよび教育者を含む。いくつかの状況において、筆記表面は、事前に印刷された線、語、図もしくはアイコンを有し得、または筆記表面は、ブランクであり得る。筆記デバイスは、他の人との筆記または描写による連絡のための便利な媒体として用いられ得る。いくつかの筆記デバイスは、スポーツ関連の実施形態よりも小さいかまたは大きい場合がある。
【００６０】
本発明は上記に説明される例示的実施形態によって説明されるが、例示される実施形態に対する修正および例示される実施形態の変形が本明細書において開示される発明の概念から逸脱することなくなされ得ることは当業者によって理解される。これらの実施形態のために選ばれる特定の値が説明されるが、本発明の範囲内においてパラメータのすべての値が種々の用途に合うように広範囲にわたり変化し得ることは理解されるべきである。さらに、開示される局面またはこれらの局面の部分は、上記に掲載されていない方法で組み合わされ得る。従って、本発明は、開示される実施形態に限定されることとして考えられるべきではない。
【図１】
2011514858.tif 000003
【図２】
2011514858.tif 000004
【図３】
2011514858.tif 000005
【図４】
2011514858.tif 000006
【図５】
2011514858.tif 000007
【図６】
2011514858.tif 000008
【図７】
2011514858.tif 000009
【図８】
2011514858.tif 000010
【図９】
2011514858.tif 000011
【図１０】
2011514858.tif 000012
【国際調査報告】
2011514858.tif 000013
2011514858.tif 000014